(57)【特許請求の範囲】
【請求項１】
所定範囲内に存在する複数の従通信装置と所定のネットワークを介してそれぞれ通信路を確立している主通信装置において、
上記複数の従通信装置にそれぞれ割り当てられた複数の選択肢を表示する表示手段と、
上記複数の選択肢のうち、選択された選択肢を検知する検知手段と、
上記検知手段により検知された選択肢に対応する任意の従通信装置に、上記従通信装置における告知手段の探索指令データを、上記通信路を介して送信する探索指令手段と、
上記探索指令手段により送信された探索指令データに対する返信データに基づいて、上記任意の従通信装置に設けられた告知手段を上記表示手段に表示させ、選択された告知手段を上記主通信端末装置に対する告知用として動作させる制御信号を、上記通信路を介して上記任意の従通信装置に送信する制御手段と
を具えることを特徴とする主通信装置。
【請求項２】
上記制御手段は、
上記任意の従通信装置に設けられた１つ、又は、２以上の告知手段を上記選択肢として上記表示手段に表示させる
ことを特徴とする請求項１に記載の主通信装置。
【請求項３】
上記制御信号を上記任意の従通信装置に送信してから所定期間経過するまで、当該任意の従通信装置からの応答結果を待ち受ける待受手段と、
上記表示手段に表示された上記複数の選択肢の表示状態を変化させることにより、上記応答結果を受け取ったことを上記主通信装置の使用者へ通知する通知手段と
をさらに具えることを特徴とする請求項１に記載の主通信装置。
【請求項４】
所定範囲内に存在する主通信装置と所定のネットワークを介して通信路を確立している従通信装置において、
上記主通信装置からの探索指令に応じて、当該従通信装置に設けられた告知手段を探索する探索手段と、
上記探索手段により探索された告知手段を、上記探索指令に対する返信データとして上記通信路を介して上記主通信装置に送信する送信手段と、
当該従通信装置に設けられた告知手段を動作させる制御信号を待ち受け、上記主通信装置から受け取った上記制御信号に基づいて、上記従通信装置であることを上記主通信装置の使用者に告知するように、上記告知手段を動作させる制御手段と
を具えることを特徴とする従通信装置。
【請求項５】
所定範囲内に存在する複数の従通信装置と所定のネットワークを介してそれぞれ通信路を確立している主通信装置に対して、
上記複数の従通信装置にそれぞれ割り当てられた複数の選択肢を表示手段に表示すること、
上記複数の選択肢のうち、選択された選択肢を検知すること
検知された選択肢に対応する任意の従通信装置に、上記従通信装置における告知手段の探索指令データを、上記通信路を介して送信すること、
上記探索指令データに対する返信データに基づいて、上記任意の従通信装置に設けられた告知手段を上記表示手段に表示させ、選択された告知手段を上記主通信端末装置に対する告知用として動作させる制御信号を、上記通信路を介して上記任意の従通信装置に送信すること
を実行させる告知指示プログラム。
【請求項６】
所定範囲内に存在する主通信装置と所定のネットワークを介して通信路を確立している複数の従通信装置にそれぞれ割り当てられた複数の選択肢を表示手段に表示する第１のステップと、
上記複数の選択肢のうち、選択された選択肢を検知する第２のステップと
検知された選択肢に対応する任意の従通信装置に、上記従通信装置における告知手段の探索指令データを、上記通信路を介して送信する第３のステップと、
上記探索指令データに対する返信データに基づいて、上記任意の従通信装置に設けられた告知手段を上記表示手段に表示させ、選択された告知手段を上記主通信端末装置に対する告知用として動作させる制御信号を、上記通信路を介して上記任意の従通信装置に送信する第４のステップと
を具えることを特徴とする告知指示方法。
【請求項７】
主通信装置と、当該主通信装置から所定範囲内に存在する複数の従通信装置とが所定のネットワークを介してそれぞれ通信路を確立しているネットワークシステムであって、
上記主通信装置は、
上記複数の従通信装置にそれぞれ割り当てられた複数の選択肢を表示する表示手段と、
上記複数の選択肢のうち、選択された選択肢を検知する検知手段と
上記検知手段により検知された選択肢に対応する任意の従通信装置に、上記従通信装置における告知手段の探索指令データを、上記通信路を介して送信する探索指令手段と、
上記探索指令手段により送信された探索指令データに対する返信データに基づいて、上記任意の従通信装置に設けられた告知手段を上記表示手段に表示させ、選択された告知手段を上記主通信端末装置に対する告知用として動作させる制御信号を、上記通信路を介して上記任意の従通信装置に送信する制御手段と
を具え、
上記複数の従通信装置は、
上記探索指令データに応じて、当該従通信装置に設けられた告知手段を探索する探索手段と、
上記探索手段により探索された告知手段を、上記返信データとして上記通信路を介して上記主通信装置に送信する送信手段と、
上記制御信号を待ち受け、上記主通信装置から受け取った上記制御信号に基づいて、上記従通信装置であることを上記主通信装置の使用者に告知するように、当該告知手段を動作させる制御手段と
を具えることを特徴とするネットワークシステム。
【発明の詳細な説明】
【０００１】
【発明の属する技術分野】
本発明は主通信装置、従通信装置、告知指示プログラム、告知指示方法及びネットワークシステムに関し、例えばブルートゥース（Bluetooth:登録商標）に準拠した複数の通信装置によって構築されるネットワークシステムに適用して好適なものである。
【０００２】
【従来の技術】
近年、標準化団体のBluetooth SIG(Special Interest Group) により標準化された近距離無線データ通信規格であるブルートゥースに準拠した通信装置が開発されている。
【０００３】
ブルートゥースは、2.4[GHz]帯のISM(Industrial Scientific Medical)帯に周波数幅 1[MHz] の通信周波数を、時分割多重の時間単位（以下、これを時間スロットと呼ぶ）である 625 [μsec]毎に 79[MHz]の周波数幅の範囲内でランダムに変化（ホッピング）させる周波数ホッピング型のスペクトラム拡散通信方式を用い、およそ 10[m]四方の空間内にデータ伝送を行うよう規定されている。
【０００４】
従って、かかる通信装置を複数用いて構築されるネットワークシステム（以下、これをＢＴシステムと呼ぶ）は、複数の通信装置同士における周波数ホッピングのパターンと、時間スロットとを共有して周波数軸上と時間軸上とで同期を確立した状態（以下、これをピコネット(piconet) と呼ぶ）を形成する。
【０００５】
このときピコネットには、図１４に示すように、複数の通信装置のうち、ＢＴシステムの構築元となって制御機能を担う１つの通信装置（以下、これをマスタ(master)と呼ぶ）が必ず存在し、当該マスタにより制御される１又は２以上の通信装置（以下、これをスレーブ(slave) と呼ぶ）が存在する。
【０００６】
この場合マスタは、１又は２以上のスレーブを制御することにより、当該スレーブに対して自らの周波数ホッピングのパターン及び時間スロットに同期させる。従ってマスタは、１又は２以上のスレーブと個別に各種データの授受（データ通信）を行い得るようになされている。
【０００７】
因みにピコネットは、他のピコネットと相互接続することによりスカッタネット(scatternet)と呼ばれるネットワークシステムをも構築し得るようになされている。
【０００８】
このようにＢＴシステムは、単に１対１の通信装置間におけるケーブルの代替えによるデータ通信のみならず、基地局等に相当する中継装置を設けることなく、１対複数の通信装置間におけるデータ通信を簡易に行い得るようになされている。
【０００９】
【発明が解決しようとする課題】
ところで、例えば具体的に図１５に示すようなＢＴシステム１において、パーソナルコンピュータ２（マスタ）は、当該パーソナルコンピュータ２に対しておよそ 10[m]四方の空間ＡＲ内に存在する携帯電話機３、４、５及び６（スレーブ）とピコネットを形成すると、当該携帯電話機３、４、５及び６における属性情報を要求するようになされている。
【００１０】
この場合パーソナルコンピュータ２は、携帯電話機３、４、５及び６から供給される各々の属性情報に基づいて例えば図１６に示すように、当該携帯電話機３、４、５及び６の各使用者によって書き換えられた名称を表すデバイス名８Ａ〜８Ｄと、各種電子機器のうち携帯電話機であることを表す同一絵柄のデバイスアイコン７Ａ〜７Ｄとでなるデバイス選択画面１０を表示部（図示せず）に表示する。
【００１１】
これによりパーソナルコンピュータ２は、ピコネットを形成した携帯電話機３、４、５及び６の属性を当該パーソナルコンピュータ２の使用者に把握させると共に、選択されたデバイス名８Ａ、８Ｂ、８Ｃ又は８Ｄ（デバイスアイコン７Ａ、７Ｂ、７Ｃ又は７Ｄ）に対応する携帯電話機３、４、５又は６との間で各種データ通信を行い得るようになされている。
【００１２】
しかしながら、パーソナルコンピュータ２は、同一の絵柄のデバイスアイコン７Ａ〜７Ｄ又は、パーソナルコンピュータ２の使用者の知り得ない任意に書き換えられたデバイス名８Ａ〜８Ｄと、実際の携帯電話機３〜６との対応関係を当該使用者に把握させることができず、その結果、デバイス名８Ａ〜８Ｄ（デバイスアイコン７Ａ〜７Ｄ）を使用者に選択させることが困難であり、使い勝手が悪いという問題があった。
【００１３】
本発明は以上の点を考慮してなされたもので、使い勝手を向上し得る主通信装置、従通信装置、告知指示プログラム、告知指示方法及びネットワークシステムを提案しようとするものである。
【００１４】
【課題を解決するための手段】
かかる課題を解決するため本発明は、所定範囲内に存在する複数の従通信装置と所定のネットワークを介してそれぞれ通信路を確立している主通信装置であって、複数の従通信装置にそれぞれ割り当てられた複数の選択肢を表示し、これら複数の選択肢のうち、選択された選択肢を検知し、検知された選択肢に対応する任意の従通信装置に、従通信装置における告知手段の探索指令データを、通信路を介して送信し、該探索指令データに対する返信データに基づいて、任意の従通信装置に設けられた告知手段を表示手段に表示させ、選択された告知手段を主通信端末装置に対する告知用として動作させる制御信号を、通信路を介して任意の従通信装置に送信するようにした。
【００１５】
従って主通信装置を使用するユーザは、複数の選択肢から所望の選択肢を選択さえすれば、当該選択肢に対応する従通信装置における告知手段の告知動作により、自らが選択した選択肢と、その選択肢に対応する従通信装置との対応関係を把握することができる。
【発明の実施の形態】
以下図面について、本発明の一実施の形態を詳述する。
【００１６】
（１）全体構成
図１において、２０は全体として本発明によるＢＴ（Bluetooth:登録商標）システムを示し、ブルートゥースに準拠したブルートゥースモジュールを内蔵するパーソナルコンピュータ２１、ＰＤＡ(Personal Digital Assistants) ２２、ＰＤＡ２３、携帯電話機２４及び携帯電話機２５とによって構築されている。
【００１７】
この場合、パーソナルコンピュータ２１は、ＢＴシステム２０の構築元であるマスタとして機能しており、当該パーソナルコンピュータ２１に対して数[m] 四方の空間ＡＲ１内に存在するＰＤＡ２２、ＰＤＡ２３、携帯電話機２４及び携帯電話機２５をスレーブとして機能させてピコネットを形成している。
【００１８】
ここで、ピコネットとは、ブルートゥース規格における周波数幅 1[MHz] の通信周波数を 79[MHz]の周波数幅の範囲内でランダムに変化（ホッピング）させる周波数ホッピングパターンと、時分割多重の時間単位（以下、これを時間スロットと呼ぶ）とを複数の通信装置同士が共有している状態（すなわち周波数軸上と時間軸上とで同期を確立した状態）をいう。
【００１９】
従って、マスタとして機能するパーソナルコンピュータ２１は、スレーブとして機能するＰＤＡ２２、ＰＤＡ２３、携帯電話機２４及び携帯電話機２５に対して自らの周波数ホッピングのパターン及び時間スロットに同期させており、これにより当該ＰＤＡ２２、ＰＤＡ２３、携帯電話機２４及び携帯電話機２５とそれぞれ個別に各種データの授受（データ通信）を行い得るようになされている。
【００２０】
またＰＤＡ２２、ＰＤＡ２３、携帯電話機２４、携帯電話機２５（スレーブ）は、パーソナルコンピュータ２１（マスタ）を介して他のスレーブ（ＰＤＡ２２、ＰＤＡ２３、携帯電話機２４、携帯電話機２５）とも各種データの授受（データ通信）を行い得るようになされている。
【００２１】
（２）各通信装置の構成
（２−１）パーソナルコンピュータの回路構成
図２に示すように、パーソナルコンピュータ２１は、当該パーソナルコンピュータ２１における各種機能を統括的に制御するＣＰＵ(Central Processing Unit) ３０に対して、ＲＯＭ(Read Only Memory)３１、ＲＡＭ(Randam Access Memory)３２、キーボード３３、マウス３４、ハードディスクドライブ（ＨＤＤ）３５、表示部３６及びブルートゥースに準拠したブルートゥースモジュール３７がそれぞれバスＢＵＳを介して接続されており、当該バスを介して各回路部間における各種データの授受を行うようになされている。
【００２２】
ＨＤＤ３５のハードディスクには、Ｗindows９８（マイクロソフト社、商標）等のオペレーティングプログラム、ピコネット形成用のピコネット形成プログラム、当該ピコネットによって形成されている通信装置を使用者に把握させるように指示するための告知指示プログラム等の各種プログラムや、映像データ等の各種個人用データが格納されている。
【００２３】
従って、ＣＰＵ３０は、キーボード３３やマウス３４からの各種操作に応じてＨＤＤ３５のハードディスクに格納された各種プログラムを適宜読み出してＲＡＭ３２に展開することにより、当該プログラムに従った処理を実行すると共に、その処理内容を表示部３６を介して表示するようになされている。
【００２４】
例えば、ＣＰＵ３０はオペレーティングプログラムに従い、キーボード３３やマウス３４によりピコネットを形成するための所定の操作が行われると、ＨＤＤ３５のハードディスクに格納されたピコネット形成プログラムを読み出し、これをＲＡＭ３２に展開することによりマスタとして機能し、ブルートゥースモジュール３７を制御する。
【００２５】
この場合ブルートゥースモジュール３７は、2.4[GHz]帯のISM(Industrial Scientific Medical)帯に周波数幅 1[MHz] の通信周波数を最大 79[個] 設定し、時間スロット（ 625 [μsec]）毎にランダムに変化（ホッピング）させ、およそ
数[m] 四方の空間内ＡＲ１（図１）に存在するＰＤＡ２２、ＰＤＡ２３、携帯電話機２４、携帯電話機２５と各種データの授受を行う。
【００２６】
かかるブルートゥースモジュール３７には、ブルートゥースクロック（図示せず）、フラッッシュメモリ（図示せず）及びＲＯＭ（図示せず）が内蔵されており、当該ＲＯＭにはブルートゥースアドレスが格納されている。
【００２７】
ブルートゥースアドレスとは、ブルートゥースモジュール固有の情報であり、当該ブルートゥースモジュールにおける周波数ホッピングパターンを生成するためのパラメータ等に用いられる識別子である。
【００２８】
実際上、ＣＰＵ３０は、ブルートゥースモジュールを制御してピコネット形成対象に時間軸を確立させるためのブルートゥースクロックのカウンタ情報と、周波数軸を確立させるためのブルートゥースアドレスとを含むピコネット形成要求データとしてブルートゥースモジュール３７を介してＰＤＡ２２、ＰＤＡ２３、携帯電話機２４及び携帯電話機２５に対して送信し、自らの周波数ホッピングパターン及び時間スロットに同期させてピコネットを形成する。
【００２９】
この状態において、ＣＰＵ３０は、ＨＤＤ３５のハードディスクに格納された告知指示プログラムを読み出してＲＡＭ３２に展開して告知指示処理を実行することにより、ピコネットを形成した各通信装置（ＰＤＡ２２、ＰＤＡ２３、携帯電話機２４及び携帯電話機２５）をパーソナルコンピュータ２１の使用者に把握させ得るようになされている。
【００３０】
（２−２）ＰＤＡの回路構成
ＰＤＡ２２及びＰＤＡ２３はそれぞれ同一の構成であることにより、ここではＰＤＡ２２の回路構成についてのみ述べる。
【００３１】
図３に示すように、ＰＤＡ２２は、当該ＰＤＡ２２における各種機能を統括的に制御するＣＰＵ４０に対して、メモリ４１、操作ボタン及びタッチパネルでなる操作入力部４２、表示部４３、スピーカ４４、及びブルートゥースに準拠したブルートゥースモジュール４５がそれぞれバスＢＵＳを介して接続されており、当該バスを介して各回路部間における各種データの授受を行うようになされている。
【００３２】
メモリ４１には、オペレーティングシステムを実現する基本プログラム、ピコネット形成用のピコネット形成プログラム、当該ピコネットによって形成されている通信装置を使用者に把握させるための告知処理プログラム等の各種プログラムや、映像データ、音声データ等の各種個人用データが格納されている。
【００３３】
従って、ＣＰＵ４０は、操作入力部４２からの各種操作に応じてメモリ４１に格納された各種プログラムを適宜読み出して内部ＲＡＭ（図示せず）に展開することにより、当該プログラムに従った処理を実行すると共に、その処理内容を表示部４３を介して表示するようになされている。
【００３４】
例えば、ＣＰＵ４０は基本プログラムに従い、ブルートゥースモジュール４５を介してパーソナルコンピュータ２１からのピコネット形成要求データを受けると、その旨をＰＤＡ２２の使用者に表示部４３を介して視覚的に通知すると共に、スピーカ４４を介して聴覚的に通知する。
【００３５】
その際、ＣＰＵ４０は、操作入力部４２によりピコネット形成要求データを受ける所定の操作が行われると、メモリ４１に格納されたピコネット形成プログラムを読み出し、これを内部ＲＡＭ（図示せず）に展開することによりスレーブとして機能し、ブルートゥースモジュール４５を制御する。
【００３６】
この場合ブルートゥースモジュール４５は、2.4[GHz]帯のISM(Industrial Scientific Medical)帯に周波数幅 1[MHz] の通信周波数を最大 79[個] 設定し、時間スロット（ 625 [μsec]）毎にランダムに変化（ホッピング）させ、パーソナルコンピュータ２１と各種データの授受を行うようになされている。
【００３７】
かかるブルートゥースモジュール４５には、ブルートゥースクロック（図示せず）、フラッッシュメモリ（図示せず）及びＲＯＭ（図示せず）が内蔵されており、当該ＲＯＭにはブルートゥースアドレスが格納されている。
【００３８】
実際上、ＣＰＵ４０は、ブルートゥースモジュール４５を制御してピコネット形成要求データにおけるパーソナルコンピュータ２１のブルートゥースアドレスに基づいて周波数軸の同期を確立させる周波数ホッピングパターンを算出し、当該ピコネット形成要求データにおけるパーソナルコンピュータ２１のブルートゥースクロックカウンタ値に基づいて自らのブルートゥースクロックにオフセットを加えて時間軸の同期を確立させる時間スロットのタイミングをとる。
【００３９】
これによりＣＰＵ４０は、ブルートゥースモジュール４５をパーソナルコンピュータ２１のブルートゥースモジュール３７（図２）に同期させてピコネットを形成する。
【００４０】
この状態において、ＣＰＵ４０は、告知処理プログラムをメモリ４１に展開して告知処理を実行することにより、ピコネットを形成したＰＤＡ２２をパーソナルコンピュータ２１の使用者に把握させ得るようになされている。
【００４１】
（２−３）携帯電話機の回路構成
携帯電話機２４及び携帯電話機２５はそれぞれ同一の構成であることにより、ここでは携帯電話機２４の回路構成についてのみ述べる。
【００４２】
図４に示すように、携帯電話機２５は、当該携帯電話機２５における各種機能を統括的に制御するＣＰＵ５０に対して、メモリ５１、複数の操作ボタンからなる操作キー５２、表示部５３、送受信回路部５４及びブルートゥースに準拠したブルートゥースモジュール５５がそれぞれバスＢＵＳを介して接続されており、当該バスを介して各回路部間における各種データの授受を行い得るようになされている。
【００４３】
送受信回路部５４には、マイクロフォン５６及びスピーカ５７が接続されており、メモリ５１には、オペレーティングシステムを実現する基本プログラム、ピコネット形成用のピコネット形成プログラム、当該ピコネットによって形成されている通信装置を使用者に把握させるための告知処理プログラム等の各種プログラムや、映像データ、音声データ等の各種個人用データが格納されている。
【００４４】
従って、ＣＰＵ５０は、操作キー５２からの各種操作に応じて各種操作に応じてメモリ５１に格納された各種プログラムを適宜読み出して内部ＲＡＭ（図示せず）に展開することにより、当該プログラムに従った処理を実行すると共に、その処理内容を表示部５３を介して表示するようになされている。
【００４５】
例えば、ＣＰＵ３０は基本プログラムに従い、操作キー５２により通話するための所定の操作が行われると、送受信回路部５４を制御することにより発呼処理や終話処理等の通話処理を実行する。
【００４６】
すなわち送受信回路部５４は、ＣＰＵ５０の制御によりアンテナ５８を介して所定の制御信号を基地局（図示せず）に送信して発呼処理を行い、また基地局からの着信信号をアンテナ５８を介して受信し、これに応じてＣＰＵ５０に対して着信通知を行う。
【００４７】
そして送受信回路部５４は通話時において、アンテナ５８を介して受信した受信信号を増幅した後復調して音声信号を生成し、これをスピーカ５７を介して出力すると共に、マイクロフォン５６から入力される音声信号を変調した後増幅して送信信号を生成し、これをアンテナ５８を介して送信し得るようになされている。
【００４８】
また、ＣＰＵ５０は基本プログラムに従い、ブルートゥースモジュール５５を介してパーソナルコンピュータ２１からのピコネット形成要求データを受けると、その旨を携帯電話機２５の使用者に表示部５３を介して視覚的に通知すると共に、スピーカ５７を介して聴覚的に通知する。
【００４９】
その際、ＣＰＵ５０は、操作キー５２によりピコネット形成要求データを受ける所定の操作が行われると、メモリ５１に格納されたピコネット形成プログラムを読み出し、これを内部ＲＡＭ（図示せず）に展開することによりスレーブとして機能し、ブルートゥースモジュール５５を制御する。
【００５０】
この場合ブルートゥースモジュール５５は、2.4[GHz]帯のISM(Industrial Scientific Medical)帯に周波数幅 1[MHz] の通信周波数を最大 79[個] 設定し、時間スロット（ 625 [μsec]）毎にランダムに変化（ホッピング）させ、パーソナルコンピュータ２１と各種データの授受を行うようになされている。
【００５１】
かかるブルートゥースモジュール５５には、ブルートゥースクロック（図示せず）、フラッッシュメモリ（図示せず）及びＲＯＭ（図示せず）が内蔵されており、当該ＲＯＭにはブルートゥースアドレスが格納されている。
【００５２】
実際上、ＣＰＵ５０は、ブルートゥースモジュール５５を制御してピコネット形成要求データにおけるパーソナルコンピュータ２１のブルートゥースアドレスに基づいて周波数軸の同期を確立させる周波数ホッピングパターンを算出し、当該ピコネット形成要求データにおけるパーソナルコンピュータ２１のブルートゥースクロックカウンタ値に基づいて自らのブルートゥースクロックにオフセットを加えて時間軸の同期を確立させる時間スロットのタイミングをとる。
【００５３】
これによりＣＰＵ５０は、ブルートゥースモジュール４５をパーソナルコンピュータ２１のブルートゥースモジュール３７（図２）に同期させてピコネットを形成する。
【００５４】
この状態において、ＣＰＵ５０は、告知処理プログラムをメモリ５１に展開して告知処理を実行することにより、ピコネットを形成した携帯電話機２４をパーソナルコンピュータ２１の使用者に把握させ得るようになされている。
【００５５】
（３）告知使役処理手順
まず、告知使役処理手順のうち、マスタとして機能するパーソナルコンピュータ２１側の告知指示処理手順を述べる。
【００５６】
すなわちパーソナルコンピュータ２１のＣＰＵ３０は、図５（Ａ）に示すように、告知指示プログラムをＨＤＤ３５から読み出してＲＡＭ３１に展開すると、ルーチンＲＴ１の開始ステップから続くステップＳＰ１に移る。
【００５７】
ステップＳＰ１においてＣＰＵ３０は、ピコネットを形成した通信装置を使用者に把握させるための情報を要求するデバイス把握情報要求データを生成してＰＤＡ２２、ＰＤＡ２３、携帯電話機２４及び携帯電話機２５に送出し、ステップＳＰ２に移る。
【００５８】
ところでＰＤＡ２２、ＰＤＡ２３、携帯電話機２４及び携帯電話機２５のブルートゥースモジュール４５（図３）及び５５（図４）にそれぞれ内蔵されたフラッシュメモリには、通信装置を特定するための情報として、デバイス名やデバイスカテゴリ等がそれぞれ対応するＣＰＵ４０、５０の制御により予め記憶されている。
【００５９】
デバイス名とは、ブルートゥースモジュールが設けられている通信装置の名称であり、使用者の嗜好に応じて自由に書き換え可能になされている。またデバイスカテゴリとは、ブルートゥースモジュールが設けられている通信装置の種別（携帯電話機、洗濯機又は冷蔵庫等）を表す種別情報である。
【００６０】
ステップＳＰ２においてＣＰＵ３０は、デバイス把握情報要求データに対する返信として、デバイス名データ及びデバイスカテゴリデータを含む属性データをＰＤＡ２２、ＰＤＡ２３、携帯電話機２４及び携帯電話機２５からそれぞれ受信したか否かを判断する。
【００６１】
ここで否定結果が得られると、このことは未だ、デバイス把握情報要求データの送信先である全ての通信装置から属性データを受信していないことを表しており、このときＣＰＵ３０は、全ての通信装置から属性データを受信するまで待ち受ける。これに対して肯定結果が得られると、ＣＰＵ３０は、続くステップＳＰ３に移る。
【００６２】
ステップＳＰ３においてＣＰＵ３０は、例えば図６に示すように、ピコネットを形成した通信装置を使用者に視覚的に把握させる特定端末表示領域ＦＤ１と、当該使用者に対して所定の操作を促す指示情報表示領域ＦＤ２とでなるデバイス選択画面ＤＩＳ１を表示部３６に表示し、ステップＳＰ４に移る。
【００６３】
その際、ＣＰＵ３０は、各通信装置（ＰＤＡ２２、ＰＤＡ２３、携帯電話機２４及び携帯電話機２５）からそれぞれ受信したデバイスカテゴリデータに基づく通信装置の種類に対応するデバイスアイコンデータをＨＤＤ３５のハードディスクから読み出して特定端末表示領域ＦＤ１にデバイスアイコン６１、６２、６３、６４として表示すると共に、そのデバイスアイコン６１〜６４に対応させて各デバイス名データに基づくデバイス名７１、７２、７３、７４を表示する。
【００６４】
またＣＰＵ３０は、指示情報表示領域ＦＤ２に例えば「希望するアイコンにカーソルを重ねて実際の端末装置を確かめてください」等を表示することにより、デバイスアイコン６１、６２、６３、６４と、実際の通信装置（ＰＤＡ２２、ＰＤＡ２３、携帯電話機２４及び携帯電話機２５）との対応関係を使用者に把握させるために、使用者所望のデバイスアイコン（又はデバイス名）の選択を促すようになされている。
【００６５】
因みに、ＣＰＵ３０は、デバイスカテゴリデータを受信できない場合や、当該デバイスカテゴリデータに対応するデバイスアイコンがハードディスクに格納されていない場合等には、例えば図７に示すように、不明であることを表すアイコン６５及びデバイス名７５を表示するようになされている。
【００６６】
ステップＳＰ４においてＣＰＵ３０は、オペレーティングシステムによりマウス３４の移動操作に追従してデバイス選択画面ＤＩＳ１上を移動するカーソルＣＬがデバイスアイコン６１、６２、６３又は６４（デバイス名７１、７２、７３又は７４）上に位置したか（重なったか）否かを判断する。
【００６７】
ここで否定結果が得られると、このことは未だ使用者によるマウス３４の移動操作を介してデバイスアイコン６１〜６４（デバイス名７１〜７４）が選択されていないことを表しており、このときＣＰＵ３０は、デバイス選択画面ＤＩＳ１のデバイスアイコン６１、６２、６３又は６４（デバイス名７１、７２、７３又は７４）上にカーソルＣＬが位置するまで待ち受ける。
【００６８】
これに対して肯定結果が得られると、このことは使用者によるマウス３４の操作を介してデバイス選択画面ＤＩＳ１に表示されているデバイスアイコン６１〜６４（デバイス名７１〜７４）のうち、例えばデバイスアイコン６１（デバイス名７１）が選択されたことを表しており、このときＣＰＵ３０は、デバイスアイコン６１（デバイス名７１）が選択されたことを検知し、続くステップＳＰ５に移る。
【００６９】
ステップＳＰ５においてＣＰＵ３０は、ＰＤＡ２２に設けられている告知手段（表示部４３やスピーカ４４）を、パーソナルコンピュータ２１の使用者への告知用として動作させるための動作制御データを生成し、これを上述のステップＳＰ４で選択されたデバイスアイコン６１に対応するＰＤＡ２２に送信し、ステップＳＰ６に移る。
【００７０】
ステップＳＰ６においてＣＰＵ３０は、動作制御データを送信したＰＤＡ２２から、当該動作制御データに基づいて告知手段が動作されたことを表す応答データを受信したか否かを判断する。
【００７１】
この実施の形態の場合、ＰＤＡ２２は、動作制御データを受け取った際に動作させる告知手段を設定する所定の操作が行われ、例えば図８に示すような告知動作設定画面ＤＩＳ２により表示部４３の表示画面を点滅動作させるように予め設定されている。
【００７２】
従ってＰＤＡ２２は、パーソナルコンピュータ２１から送信された動作制御データを受信すると、当該動作制御データに基づいてパーソナルコンピュータ２１の使用者への告知用として表示部４３を点滅動作させ、また当該動作させたことを表す応答データをパーソナルコンピュータ２１に返信するようになされている。
【００７３】
このときパーソナルコンピュータ２１の使用者は、当該パーソナルコンピュータ２１から数[m] 四方の空間ＡＲ１（図１）内に存在するＰＤＡ２２、ＰＤＡ２３、携帯電話機２４及び携帯電話機２５のうち、上述のステップＳＰ４で選択したデバイスアイコン６１に対応するＰＤＡ２２を把握することができる。
【００７４】
すなわちＣＰＵ３０は、上述のステップＳＰ６において肯定結果が得られた場合には、本来、ＰＤＡ２２の使用者に把握させるために動作しているＰＤＡ２２の表示部４３を、動作制御データによりパーソナルコンピュータ２１の使用者への告知用として点滅動作させることにより、デバイスアイコン６１と、当該デバイスアイコン６１に対応する実際のＰＤＡ２２との対応関係をパーソナルコンピュータ２１の使用者に視覚的に把握させ得るようになされている。
【００７５】
この場合ＣＰＵ３０は、ＰＤＡ２２から送信される応答データを受信し、続くステップＳＰ７に移る。
【００７６】
ステップＳＰ７においてＣＰＵ３０は、応答データに基づいて上述のステップＳＰ４で選択されたデバイスアイコン６１を点滅させることにより、パーソナルコンピュータ２１の使用者に対してＰＤＡ２２に動作制御データが送信されたことを確認させ、ステップＳＰ４に戻る。
【００７７】
従ってＣＰＵ３０は、上述のステップＳＰ４で選択されたデバイスアイコン６１と、当該デバイスアイコン６１に対応する実際のＰＤＡ２２との対応関係について、例えばビルの１階と２階とでピコネットを形成しているため、ＰＤＡ２２の表示部４３を点滅させてもパーソナルコンピュータ２１の使用者が認識できない状況下であった場合でも、その旨を把握させることができる。
【００７８】
これに対して、ステップＳＰ６において応答データを受信していない否定結果が得られると、このことは、動作制御データをＰＤＡ２２に送信した時点から一定時間経過しても当該ＰＤＡ２２からの応答データを受信しておらず、妨害波等によってデータ通信し得ないことを表しており、このときＣＰＵ３０は、続くステップＳＰ８に移る。
【００７９】
ステップＳＰ８においてＣＰＵ３０は、ＰＤＡ２２と通信し得ない状態となっていることを表示部３６を介して通知し、ステップＳＰ４に戻る。
【００８０】
次に、告知処理手順のうち、スレーブとして機能するＰＤＡ２２、ＰＤＡ２３、携帯電話機２４及び携帯電話機２５側の告知処理手順を述べるが、当該ＰＤＡ２２、ＰＤＡ２３、携帯電話機２４及び携帯電話機２５は同様の処理手順であることにより、ここではＰＤＡ２２の告知処理手順を述べる。
【００８１】
すなわちＰＤＡ２２のＣＰＵ４０は、図５（Ｂ）に示したように、告知処理プログラムをＨＤＤ３５から読み出してＲＡＭ３１に展開すると、ルーチンＲＴ２の開始ステップから続くステップＳＰ１１に移る。
【００８２】
ステップＳＰ１１においてＣＰＵ４０は、パーソナルコンピュータ２１から送信されたデバイス把握情報要求データを受信したか否かを判断する。
【００８３】
ここで否定結果が得られると、ＣＰＵ４０は、デバイス把握情報要求データを受信するまで待ち受ける。これに対して肯定結果が得られると、ＣＰＵ４０は、続くステップＳＰ１２に移る。
【００８４】
ステップＳＰ１２においてＣＰＵ４０は、デバイス把握情報要求データに対する返信として、デバイス名データ及びデバイスカテゴリデータをブルートゥースモジュール内のフラッシュメモリから読み出し、これらを属性データとしてパーソナルコンピュータ２１に送信し、ステップＳＰ１３に移る。
【００８５】
ステップＳＰ１３においてＣＰＵ４０は、動作制御データを受信したか否かを判断する。ここで否定結果が得られると、このことはパーソナルコンピュータ２１の使用者がデバイス選択画面ＤＩＳ１のデバイスアイコン６１（図６）を選択していないことを表しており、このときＣＰＵ４０は動作制御データを受信するまで待ち受ける。
【００８６】
これに対して肯定結果が得られると、このことはパーソナルコンピュータ２１を使用するユーザがデバイス選択画面ＤＩＳ１のデバイスアイコン６１（図６）を選択したことを表しており、このときＣＰＵ４０は、続くステップＳＰ１４に移る。
【００８７】
ステップＳＰ１４においてＣＰＵ４０は、告知動作設定画面ＤＩＳ２（図８）を介して予め選定されている表示部４３を、当該動作制御データに基づいてパーソナルコンピュータ２１の使用者への告知用として点滅動作させ、続くステップＳＰ１５に移る。このときパーソナルコンピュータ２１の使用者は、ＰＤＡ２２の表示部４３における点滅により視覚的に把握することができる。
【００８８】
ステップＳＰ１５においてＣＰＵ４０は、表示部４３を点滅させた旨を表す応答データを生成し、これをパーソナルコンピュータ２１に送出し、ステップＳＰ１１に戻って、再びデバイス把握情報要求データを待ち受ける。
【００８９】
以上のＢＴシステム２０において、マスタとして機能するパーソナルコンピュータ２１の制御部３０は、表示部３６に表示したデバイスアイコン６１、６２、６３及び６４（デバイス名７１、７２、７３及び７４）のうち例えばデバイスアイコン６１上にカーソルＣＬが位置した（重なった）ことを検知すると、その検知したデバイスアイコン６１に対応するＰＤＡ２２に設けられている告知手段をパーソナルコンピュータ２１の使用者への告知用として動作させる動作制御データを生成し、これをブルートゥースモジュール３７を介してＰＤＡ２２に送出するようにした。
【００９０】
この場合ピコネットを確立しているＰＤＡ２２、ＰＤＡ２３、携帯電話機２４及び携帯電話機２５のうち、ＰＤＡ２２の制御部４０は、パーソナルコンピュータ２１から送信された動作制御データをブルートゥースモジュール４５を介して受信すると、当該受信した動作制御データに基づいて、告知手段である表示部４３及びスピーカ４４のうち予め動作設定された表示部４３を制御することにより、パーソナルコンピュータ２１の使用者に対する告知用として所定期間点滅動作させるようにした。
【００９１】
従って、パーソナルコンピュータ２１は、表示部３６に表示したデバイス選択画面ＤＩＳ１上のデバイスアイコン６１〜６４（デバイス名７１〜７４）から所望のデバイスアイコン６１を使用者に選択させるのみの操作で当該デバイスアイコン６１に対応するＰＤＡ２２における表示部４３を点滅動作させることより、当該使用者によって選択されたデバイスアイコン６１と、実際のＰＤＡ２２との対応関係を確実に把握させることができる。
【００９２】
またパーソナルコンピュータ２１は、新たにＰＤＡ２２に告知手段を設けることなく、ＰＤＡ２２において既存の告知手段である表示部４３を点滅動作させるので、当該ＰＤＡ２２に対する消費電力を極力抑えることができる。
【００９３】
これに加えて、パーソナルコンピュータ２１は、告知用として点滅動作した旨を表す応答データをＰＤＡ２２から受け取り、その応答データに基づいて、表示部３６に表示したデバイス選択画面ＤＩＳ１上のデバイスアイコン６１を点滅させるようにした。
【００９４】
従って、パーソナルコンピュータ２１は、ＰＤＡ２２の表示部４３を点滅動作させてもパーソナルコンピュータ２１の使用者に把握させ得ない状況下であった場合でも、その旨の対応関係を把握させることができる。
【００９５】
さらに、パーソナルコンピュータ２１、一定時間経過してもＰＤＡ２２からの応答データを受信できなかった場合には、パーソナルコンピュータ２１とＰＤＡ２２とが通信し得ない状態となっていることを通知することにより、その旨の対応関係を把握させることができる。
【００９６】
以上のようなＢＴシステム２０によれば、パーソナルコンピュータ２１によりＰＤＡ２２を動作制御データにより間接的に制御し、本来ＰＤＡ２２の使用者への告知用である表示部４３をパーソナルコンピュータ２１の使用者への告知用として点滅させることにより、デバイスアイコン６１に対応する実際のＰＤＡ２２をパーソナルコンピュータ２１の使用者に視覚的に把握させることができ、かくして、使い勝手を向上することができる。
【００９７】
また、ＢＴシステム２０によれば、例えばパーソナルコンピュータ２１の表示部３６に表示されたデバイスアイコン６１〜６４上に、所望のファイルをドラッグ・アンド・ドロップして送信する場合、予めデバイスアイコン６１〜６４に対してカーソルＣＬを重ねることで実際のＰＤＡ２２、２３及び携帯電話機２４、２５との対応関係を確認しておくことができ、その結果、ユーザの意図しないＰＤＡ２２、２３又は携帯電話機２４、２５に所望のファイルを送信してしまうことを防止でき、かくして、使い勝手を向上することができる。
【００９８】
なお上述の実施の形態においては、ブルートゥースモジュール３７を内蔵するパーソナルコンピュータ２１を主通信装置として適用し、ブルートゥースモジュール４５を内蔵するＰＤＡ２２、２３及びブルートゥースモジュール５５を内蔵する携帯電話機２４、２５を従通信装置として適用する場合について述べたが、本発明はこれに限らず、要は、ブルートゥースを適用した通信機能を有するものであれば、洗濯機、冷蔵庫、クーラー、ＭＤ(Mini Disk) プレーヤ、テレビジョン受像機等、この他種々の電子機器（電子装置）を主通信装置又は従通信装置として幅広く適用することができる。
【００９９】
また上述の実施の形態においては、告知手段としての表示部４３を告知用として点滅表示させる場合について述べたが、本発明はこれに限らず、例えばスピーカ、バイブレータ、所定のにおいを発生するにおい発生部等、この他種々の告知手段を告知用として動作させるようにしても良い。
【０１００】
この場合、従通信装置は、既存の告知手段を主通信装置及び従通信装置の使用者への告知用として共用しても良く、専用の告知手段を設けるようにしても良い。また従通信装置は、２以上の告知手段を併用して告知用の動作をさせても良い。
【０１０１】
その際、制御信号生成手段としてのＣＰＵ３０は、従通信装置（ＰＤＡ２２、ＰＤＡ２３、携帯電話機２４、携帯電話機２５）に専用の告知手段として設けられた１又は２以上の告知手段を動作させる制御信号としての動作制御データや、１又は２以上の既存の告知手段を主通信装置（パーソナルコンピュータ２１）の使用者への告知用として別動作させるための動作制御データを生成する。
【０１０２】
また制御手段としてのＣＰＵ４０、５０は動作制御データに基づいて、専用の告知手段として設けられた１又は２以上の告知手段を動作制御するか、若しくは、従通信装置（ＰＤＡ２２、ＰＤＡ２３、携帯電話機２４、携帯電話機２５）の使用者への１又は２以上の既存の告知手段を主通信装置（パーソナルコンピュータ２１）の使用者への告知用として制御する。
【０１０３】
このようにすれば、主通信装置（パーソナルコンピュータ２１）は、選択されたデバイスアイコン６１、６２、６３又は６４（デバイス名７１、７２、７３又は７４）と、実際の当該従通信装置（ＰＤＡ２２、ＰＤＡ２３、携帯電話機２４又は携帯電話機２５）との対応関係をパーソナルコンピュータ２１の使用者に一段と確実に把握させることができ、一段と使い勝手を向上することができる。
【０１０４】
さらに上述の実施の形態においては、パーソナルコンピュータ２１がＰＤＡ２２の告知手段である表示部４３を告知用として点滅動作させる場合について述べたが、本発明はこれに限らず、ＰＤＡ２２がパーソナルコンピュータ２１の表示部３６を告知用として点滅動作させても良く、またＰＤＡ２２が携帯電話機２４の表示部５３を告知用として点滅動作させても良く、さらにはピコネット又はスカタネットを形成している複数の通信装置のいづれもが図５（Ａ）について上述した告知指示処理手順を実行して告知手段を告知用として動作させる主通信装置となることができると共に、図５（Ｂ）について上述した告知処理手順を実行して告知手段を告知用として動作させられる従通信装置となることができるようにしても良い。
【０１０５】
さらに上述の実施の形態においては、検知手段としてのＣＰＵ３０によりデバイスアイコン６１、６２、６３又は６４（デバイス名７１、７２、７３又は７４）上にカーソルＣＬが位置した（重なった）ときに選択されたことを検知する場合について述べたが、本発明はこれに限らず、デバイスアイコン６１、６２、６３又は６４（デバイス名７１、７２、７３又は７４）がクリック操作されたとき、マウス３４の一方のボタンを押下してそのまま希望位置までカーソルＣＬを動かしてからボタンを離すことであるドラック操作され始めたとき、所定期間ドラッグ操作されたとき、ＨＤＤ３５に格納された所定の個人用データを送信するとき等、この他種々のタイミングで選択されたことを検知するようにしても良い。
【０１０６】
さらに上述の実施の形態においては、検知手段としてのＣＰＵ３０がマウス３４からの操作によって選択肢としてのデバイスアイコン６１、６２、６３又は６４（デバイス名７１、７２、７３又は７４）が選択されたことを検知する場合について述べたが、本発明はこれに限らず、当該マウス３４に代えて、タッチパネル又はジョグダイヤルからの操作によって選択肢が選択されたことを検知するようにしても良い。この場合、タッチパネル又はジョグダイヤルからの一定の操作が行われたときに選択肢が選択されたことを検知するように予め登録しておいても良い。
【０１０７】
因みにジョグダイヤルからの操作によって選択肢が選択されたことを検知する場合、パーソナルコンピュータ２１のＣＰＵ３０は、上述の図６に示したようなデバイス選択画面ＤＩＳ１に代えて、例えば図９に示すように、ジョグダイヤルの回転操作に連動して矢印ａ又はｂ方向にデバイス選択項目８０Ａ〜８０Ｄをデバイス決定領域８５に移動するようなデバイス選択画面ＤＩＳ３を表示すれば、当該パーソナルコンピュータ２１の使用者に一段と容易に選択肢（デバイス選択項目８０Ａ〜８０Ｄ）を選択させることができる。
【０１０８】
さらに上述の実施の形態においては、検知手段としてのＣＰＵ３０がマウス３４からの操作によってデバイスアイコン６１、６２、６３又は６４（デバイス名７１、７２、７３又は７４）が選択されたことを検知する場合について述べたが、本発明はこれに限らず、当該マウスに代えて、パーソナルコンピュータ２１の使用者の発する声を認識する認識手段を設け、当該認識手段による認識結果と、デバイス選択画面ＤＩＳ１のデバイス名７１、７２、７３又は７４とが一致したときに選択されたことを検知するようにしても良い。この場合、パーソナルコンピュータ２１の使用者に対する操作を回避することができ、一段と使い勝手を向上することができる。
【０１０９】
さらに上述の実施の形態においては、選択肢表示手段としての表示部３６に選択肢としてのデバイスアイコン６１〜６４、デバイス名７１〜７４を表示する場合について述べたが、本発明はこれに限らず、通信装置の種類に応じてデバイス名（テキストデータ）のみや、デバイスアイコンのみを表示しても良く、要は、ピコネット又はスカタネットを形成している複数の通信装置にそれぞれ割り当てられた少なくとも１つの選択肢を表示する選択肢表示手段であれば良い。
【０１１０】
例えばマスタとして機能する通信装置を携帯電話機２５とした場合、当該携帯電話機２５の表示部５３は、例えば図１０に示すようなテキストデータでなるスクロール表示可能なデバイス名７１〜７４と、操作説明領域ＦＤ７とでなるデバイス選択画面ＤＩＳ４を表示すれば、１又は２以上の選択肢を表示部に表示することができる。このように、通信装置における表示部の大きさや形等に応じた表示方法を選定することができる。
【０１１１】
さらに上述の実施の形態においては、選択肢表示手段としての表示部３６に選択肢としてのデバイスアイコン６１〜６４、デバイス名７１〜７４をデバイス選択画面ＤＩＳ１の特定端末表示領域ＦＤ１へ表示する場合について述べたが、本発明はこれに限らず、実際の通信装置を模した形態を示すアイコン（以下、これを分身と呼ぶ）として例えば図１１に示すようなＰＤＡ２２（ＰＤＡ２３）を模した形態を示すＰＤＡ分身６６や、例えば図１２に示すような携帯電話機２４（携帯電話機２５）を模した形態を示す携帯電話分身６７を特定端末表示領域ＦＤ１へ表示するようにしても良く、当該特定端末表示領域ＦＤ１とは別に、デバイスアイコン６１〜６４のうち選択されたデバイスアイコンに対応するＰＤＡ分身６６又は携帯電話分身６７を新たな表示画面として表示するようにしても良い。
【０１１２】
かかる分身を表示する場合、ＣＰＵ３０は、同一の種別でなる通信装置のみならず、当該種別毎の機種までをも表示部３６を介してパーソナルコンピュータ２１の使用者に把握させることができる。
【０１１３】
因みにパーソナルコンピュータ２１は、分身６６、６７における操作領域ＦＤ５、ＦＤ６の各種操作キー６６Ａ及び６６Ｂ、６７Ａ及び６７Ｂの操作に応じた制御命令を実際のＰＤＡ２２又はＰＤＡ２３、携帯電話機２４又は携帯電話機２５に与えることにより動作させても良い。
【０１１４】
またパーソナルコンピュータ２１は、制御命令を実際のＰＤＡ２２又はＰＤＡ２３、携帯電話機２４又は携帯電話機２５に与えることにより動作させたことによる動作内容を分身６６、６７における表示領域ＦＤ３、ＦＤ４に表示するようにしても良い。
【０１１５】
この場合パーソナルコンピュータ２１は、当該パーソナルコンピュータ２１から数[m] に存在するＰＤＡ２２又はＰＤＡ２３、携帯電話機２４又は携帯電話機２５をあたかもその場で操作しているかのように制御することができ、一段と使い勝手を向上することができる。
【０１１６】
さらに上述の実施の形態においては、制御信号生成手段としてのＣＰＵ３０によりデバイスアイコン６１上にカーソルＣＬが位置した（重なった）とき、制御信号としての動作制御データを生成する場合について述べたが、本発明はこれに限らず、ＨＤＤ３５のハードディスクに格納されている個人用データを送出するとき等、この種々のタイミングに制御信号を生成するようにしても良い。
【０１１７】
さらに上述の実施の形態においては、従通信装置としてのＰＤＡ２２側で告知用に動作させる告知手段として表示部４３を予め設定する場合について述べたが、本発明はこれに限らず、主通信装置としてのパーソナルコンピュータ２１側で告知用に動作させる告知手段を設定するようにしても良い。
【０１１８】
この場合、パーソナルコンピュータ２１における探索手段としてのＣＰＵ３０は、従通信装置（ＰＤＡ２２、ＰＤＡ２３、携帯電話機２４、携帯電話機２５）に設けられている告知手段を探索するための告知手段探索データを生成し、これを例えばＰＤＡ２２に送信する。
【０１１９】
ＰＤＡ２２のＣＰＵ４０は、告知手段探索データを受信すると、自らに設けられている告知手段として表示部４３及びスピーカ４４を特定し、当該特定した表示部４３及びスピーカ４４を表す探索返信データをパーソナルコンピュータ２１に送信する。
【０１２０】
パーソナルコンピュータ２１のにおける選択手段としてのＣＰＵ３０は、探索返信データを受け取ると、上述の図８に示したような告知動作設定画面ＤＩＳ２又は例えば図１３に示すような告知動作設定画面ＤＩＳ５を表示し、使用者に告知用の動作をさせる告知手段を設定させる。
【０１２１】
このようにすれば、パーソナルコンピュータ２１の使用者は、自ら設定した告知手段による動作を意識するのみで、選択されたデバイスアイコン６１、６２、６３又は６４（デバイス名７１、７２、７３又は７４）と、実際の当該従通信装置（ＰＤＡ２２、ＰＤＡ２３、携帯電話機２４又は携帯電話機２５）との対応関係を把握することができ、誤認識を回避することができる。
【０１２２】
さらに上述の実施の形態においては、主通信装置としてのパーソナルコンピュータ２１と、従通信装置としてのＰＤＡ２２、ＰＤＡ２３、携帯電話機２４及び携帯電話機２５とがネットワークとしてのBluetooth によって通信路を確立しているＢＴシステム２０を適用する場合について述べたが、本発明はこれに限らず、例えば主通信装置と従通信装置とが Home RF、wireless1394、IEEE(Institude of Electrical and Electronics Engineers)802.11bのWi-Fi 、IEEE802.11a 等、この他種々の有線又は無線ネットワークによって通信路を確立しているネットワークシステムを幅広く適用することができる。
【０１２３】
この場合、制御信号受信手段としてのブルートゥースモジュール４４又は４５と、制御信号送出手段及び受取手段としてのブルートゥースモジュール３７とは、通信路を確立するネットワークの種類に応じた制御信号受信手段、制御信号送出手段及び受取手段を適用すれば良い。
【０１２４】
さらに上述の実施の形態においては、ＨＤＤ３５のハードディスクに格納された告知指示プログラムをＲＡＭ３２に適宜展開する場合について述べたが、本発明はこれに限らず、当該告知指示プログラムが格納されたプログラム格納媒体をインストールすることにより告知指示処理を実行するようにしても良い。
【０１２５】
さらに上述の実施の形態においては、メモリ４１、５１に格納された告知処理プログラムを内部ＲＡＭに適宜展開する場合について述べたが、本発明はこれに限らず、当該告知処理プログラムが格納されたプログラム格納媒体をインストールすることにより告知処理を実行するようにしても良い。
【０１２６】
上述した一連の告知指示処理を実行するための告知指示プログラム、及び又は告知処理を実行するための告知処理プログラムを、パーソナルコンピュータ２１、ＰＤＡ２２及び２３や携帯電話機２４及び２５にインストールして実行可能な状態にするためのプログラム格納媒体としては、例えばフロッピーディスク、ＣＤ−ＲＯＭ（Compact Disc-Read Only Memory ）、ＤＶＤ（Digital VersatileDisc）等のパッケージメディアのみならず、プログラムが一時的もしくは永続的に格納される半導体メモリや磁気ディスク等で実現しても良い。
【０１２７】
またこれらプログラム格納媒体に告知指示プログラム及び又は告知処理プログラムを格納する手段として、ローカルエリアネットワークやインターネット、ディジタル衛星放送等の有線及び無線通信媒体を利用してもよく、ルータやモデム等の各種通信インターフェースを介して格納するようにしても良い。
【０１２８】
【発明の効果】
上述のように本発明によれば、所定範囲内に存在する複数の従通信装置と所定のネットワークを介してそれぞれ通信路を確立している主通信装置であって、複数の従通信装置にそれぞれ割り当てられた複数の選択肢を表示し、これら複数の選択肢のうち、選択された選択肢を検知し、検知された選択肢に対応する任意の従通信装置に、従通信装置における告知手段の探索指令データを、通信路を介して送信し、該探索指令データに対する返信データに基づいて、任意の従通信装置に設けられた告知手段を表示手段に表示させ、選択された告知手段を主通信端末装置に対する告知用として動作させる制御信号を、通信路を介して任意の従通信装置に送信するようにしたことにより、主通信装置と従通信装置との対応関係を当該使用者に把握させることができ、かくして使い勝手を向上することができる。
【０１２９】
従って、主通信装置は、当該主通信装置の使用者による選択操作のみで、その選択操作によって選択された選択肢に対応する従通信装置における告知手段を告知動作させることにより、主通信装置の使用者により選択された選択肢と、その選択肢に対応する従通信装置との対応関係を当該使用者に把握させることができ、かくして、使い勝手を向上することができる。
【図面の簡単な説明】
【図１】本発明によるＢＴシステムの全体構成を示す略線図である。
【図２】パーソナルコンピュータの回路構成を示すブロック図である。
【図３】ＰＤＡの回路構成を示すブロック図である。
【図４】携帯電話機の回路構成を示すブロック図である。
【図５】告知指示処理手順を示すフローチャートである。
【図６】デバイス選択画面例を示す略線図である。
【図７】不明であることを表すアイコン及びデバイス名例を示す略線図である。
【図８】告知動作設定画面例を示す略線図である。
【図９】他の実施の形態によるデバイス選択画面例（１）を示す略線図である。
【図１０】他の実施の形態によるデバイス選択画面例（２）を示す略線図である。
【図１１】ＰＤＡを模したアイコンを示す略線図である。
【図１２】携帯電話機を模したアイコンを示す略線図である。
【図１３】他の実施の形態による告知動作設定画面例を示す略線図である。
【図１４】ＢＴシステムの概念を示す略線図である。
【図１５】従来によるＢＴシステムの構成を示す略線図である。
【図１６】従来によるデバイス選択画面例を示す略線図である。
【符号の説明】
２０……ＢＴシステム、２１……パーソナルコンピュータ、２２、２３……ＰＤＡ、２４、２５……携帯電話機、３０、４０、５０……ＣＰＵ、３１……ＲＯＭ、３２……ＲＡＭ、３３……キーボード、３４……マウス、３５……ＨＤＤ、３６、４３、５３……表示部、３７、４５、５５……ブルートゥースモジュール、４１、５１……メモリ、４２……操作入力部、４４、５７……スピーカ、５２……操作キー、６１、６２、６３、６４、６５……デバイスアイコン、７１、７２、７３、７４、７５……デバイス名、６６……ＰＤＡ分身、６７……携帯電話分身。
【図１】
0003944822.tif 000002
【図２】
0003944822.tif 000003
【図３】
0003944822.tif 000004
【図４】
0003944822.tif 000005
【図５】
0003944822.tif 000006
【図６】
0003944822.tif 000007
【図７】
0003944822.tif 000008
【図８】
0003944822.tif 000009
【図９】
0003944822.tif 000010
【図１０】
0003944822.tif 000011
【図１１】
0003944822.tif 000012
【図１２】
0003944822.tif 000013
【図１３】
0003944822.tif 000014
【図１４】
0003944822.tif 000015
【図１５】
0003944822.tif 000016
【図１６】
0003944822.tif 000017